(57)【要約】操作性能と構造強度の両方を向上させるスクリーン取水口アセンブリと関連する製造および操作方法。スクリーン取水口アセンブリは、スクリーンアセンブリの長さに沿って実質的かつ継続的に延びる１つまたは複数のスクリーン部分を含むことができ、流体取入れ量の増加および均一な流れを提供する。スクリーン取水口アセンブリは、追加のろ過能力を提供するために外部マニホルドスクリーン部分を有する中央マニホルドを備えることができる。スクリーン取水口アセンブリは、単独で使用することも、内部流れ調整構造と組み合わせて使用して、流体の取入れと均一性を高めることもできる。内部流れ調整器は、穴あき流れ調整パイプ、内部流れ調整パイプ、および／または収束流れ調整器を含むことができる。スクリーン取水口アセンブリは、継続的にまたは要求に応じて動作する洗浄システムを含めることができる。
2021521361.tif 000002
【特許請求の範囲】
【請求項１】
スクリーン取水口アセンブリであって、
下方の出口部分とＴ型部分とを含む中央マニホルドと、
Ｔ型部分の両側で流体的に接続された一対のスクリーン部分と、
Ｔ型部分を横切って実質的に延びる中央スクリーン部分と、を含むスクリーン取水口アセンブリ。
【請求項２】
前記Ｔ型部分が、前記下方の出口部分によって画定される中心軸線に実質的に沿って配置されたフランジ付きマニホルド壁を形成し、前記一対のスクリーン部分が、フランジ付きマニホルド壁の両側で流体的に接続されている、請求項１に記載のスクリーン取水口アセンブリ。
【請求項３】
前記Ｔ型部分が、一対の離間したマニホルド壁を形成し、前記一対のスクリーン部分の各々が、対応する離間したマニホルド壁に結合されている、請求項１に記載のスクリーン取水口アセンブリ。
【請求項４】
前記中央スクリーン部分が、前記下方の出口部分によって画定される中心軸線を横切って延びている、請求項１に記載のスクリーン取水口アセンブリ。
【請求項５】
前記Ｔ型部分が、少なくとも１つの外部フランジ付きマニホルド壁を形成し、各スクリーン部分が、少なくとも１つの外部フランジ付きスクリーン壁を形成することによって、少なくとも１つの外部フランジ付きマニホルド壁が少なくとも１つの外部フランジ付きスクリーン壁に結合することができる、請求項１に記載のスクリーン取水口アセンブリ。
【請求項６】
前記Ｔ型部分が、少なくとも２つの外部フランジ付きマニホルド壁を含み、少なくとも１つの外部支持リブが、少なくとも２つの外部フランジ付きマニホルド壁の間に位置しており、少なくとも１つの外部支持リブが、前記下方の出口部分によって画定される中心軸線に対して横方向に配置される、請求項１に記載のスクリーン取水口アセンブリ。
【請求項７】
前記下方の出口部分が流体取入れ部分を含む、請求項１に記載のスクリーン取水口アセンブリ。
【請求項８】
前記流体取入れ部分が、下部スクリーン部分、複数のスロット、および複数の開口から選択することができる、請求項７に記載のスクリーン取水口アセンブリ。
【請求項９】
前記中央マニホルドが、前記一対のスクリーン部分および前記中央スクリーン部分の内部にある内部流れ調整器をさらに含む、請求項１に記載のスクリーン取水口アセンブリ。
【請求項１０】
前記内部流れ調整器が、
穴あき流れ調整パイプと、
穴あき流れ調整パイプ内の内部流れ調整パイプと、
穴あき流れ調整器の間に取り付けられた少なくとも１つの径方向支持部材と、を含む、請求項９に記載のスクリーン取水口アセンブリ。
【請求項１１】
前記下方の出口部分内に取り付けられた少なくとも１つの分割プレートをさらに含む、請求項１０に記載のスクリーン取水口アセンブリ。
【請求項１２】
前記少なくとも１つの径方向支持部材が複数の離間した径方向支持部材を含み、離間した径方向支持部材の各々がさらに複数の流れ開口を含む、請求項１０に記載のスクリーン取水口アセンブリ。
【請求項１３】
前記複数の離間した径方向支持部材の複数の流れ開口が、共有の径方向軸線に沿って配置される、請求項１２に記載のスクリーン取水口アセンブリ。
【請求項１４】
前記一対のスクリーン部分の各々が、
前記下方の出口部分によって画定される中心軸線を横切るスクリーン軸線に沿って配置された少なくとも２つのスクリーン部分を含み、スクリーン軸線に沿ったスクリーン長さが各スクリーン部分と中央スクリーンの合計によって画定される、請求項１に記載のスクリーン取水口アセンブリ。
【請求項１５】
前記スクリーン部分および中央スクリーンの内部に拡張可能な内部流れ部材をさらに含む、請求項１４に記載のスクリーン取水口アセンブリ。
【請求項１６】
前記一対のスクリーン部分、中央スクリーン部分およびＴ型部分が、前記下方の出口部分によって画定された中央軸線を横切るスクリーン軸に沿って非円形断面を形成する、請求項１に記載のスクリーン取水口アセンブリ。
【請求項１７】
前記スクリーン部分、中央スクリーン部分およびＴ型部分が、スクリーン高さおよびスクリーン幅を画定し、スクリーン幅がスクリーン高さよりも大きい、請求項１６に記載のスクリーン取水口アセンブリ。
【請求項１８】
前記スクリーン部分および中央スクリーン部分が、第１の長さのＶｅｅ−Ｗｉｒｅ（登録商標）によって画定され、Ｖｅｅ−Ｗｉｒｅ（登録商標）が連続して巻きつけられ、かつ、支持部材に溶接されて第１のワイヤギャップおよび第１のワイヤ高さを画定する、請求項１に記載のスクリーン取水口アセンブリ。
【請求項１９】
前記スクリーン部分が、連続して巻きつけられて支持部材に溶接された、第２の長さのＶｅｅ−Ｗｉｒｅ（登録商標）を含み、第２の長さのＶｅｅ−Ｗｉｒｅ（登録商標）が、第１の長さのＶｅｅ−Ｗｉｒｅ（登録商標）の隣接する巻きつけの間に配置され、第２の長さのＶｅｅ−Ｗｉｒｅ（登録商標）が、第１のワイヤ高さよりも少ない第２のワイヤ高さを有することで、第２のワイヤギャップが、第２の長さのＶｅｅ−Ｗｉｒｅ（登録商標）と各隣接する第１の長さのＶｅｅ−Ｗｉｒｅ（登録商標）との間に画定され、第２のワイヤギャップが第１のワイヤギャップよりも小さい、請求項１８に記載のスクリーン取水口アセンブリ。
【請求項２０】
前記中央マニホルドが、各スクリーン部分および中央部分で振動を誘導する発振器アセンブリをさらに含む、請求項１に記載のスクリーン取水口アセンブリ。
【請求項２１】
前記発振器アセンブリが遠隔電源を含む、請求項２０に記載のスクリーン取水口アセンブリ。
【請求項２２】
前記中央部分を通る流体の流れが、前記発振器アセンブリに動力を供給するタービンまたはプロペラ型アセンブリによって回転エネルギーに変換される、請求項２０に記載のスクリーン取水口アセンブリ。
【請求項２３】
前記中央マニホルドが、前記一対のスクリーン部分および前記中央スクリーン部分の内部にある内部流れ調整器をさらに含み、前記発振器アセンブリが、内部流れ調整器と、一対のスクリーン部分と、中央スクリーン部分との間に取り付けられたフロースルー発振器をさらに含む、請求項２０に記載のスクリーン取水口アセンブリ。
【請求項２４】
内部エアバーストシステムをさらに含み、内部エアバーストシステムが、
前記一対のスクリーン部分および中央スクリーン部分によって画定された中央スクリーン軸線の周りに径方向に配置された複数のエアバーストパイプと、
加圧空気の遠隔供給源と、を含み、
加圧空気が、複数のエアバーストパイプを通って径方向に連続して送達される、請求項１に記載のスクリーン取水口アセンブリ。
【発明の詳細な説明】
【技術分野】
【０００１】
本発明は、水源から流入する水をろ過するためのスクリーン取水口に関する。より具体的には、本発明は、取水能力の増大および性能の向上を提供するスクリーン取水口および関連する方法に関する。
【背景技術】
【０００２】
集水システムは通常、製造工場、都市、灌漑システム、および川、湖、塩水域などの水域に隣接する発電施設などのエンドユーザーに水を供給するために使用される。エンドユーザーは、井戸を掘削したり、自治体の水源から直接水を購入する代わりに、この種のシステムを採用することができる。さらに、このようなシステムの使用は、エンドユーザーの場所、例えば、自治体の水源からの水および／またはポンプを操作するための電力が容易に利用できない遠隔地によって決定され得る。これらの集水システムは、水や環境条件の変化に適応した効率的かつ経済的な運用が可能な点で有利である。
【０００３】
従来の集水システムは、通常、水域内に沈められた位置から水域に隣接または近接して所在するエンドユーザーに水を輸送するように適合された入口管を使用する。入口管は一般に水域内に沈められ、入口管の端部は通常、１つまたは複数のろ過部材を画成する取水口スクリーンアセンブリに結合されている。一般的な取水口スクリーン形態の１つは、両端に２つのろ過スクリーンを備えたＴ型の形状である。大型取水口スクリーンアセンブリの一般的な構造は、Ｔ型部分の両端から片持ち梁式になっている２つのスクリーンシリンダーを備え、各スクリーンシリンダーの遠位端に平板、コーン、皿型ヘッドなどの中実の蓋（ｓｏｌｉｄ  ｃｌｏｓｕｒｅ）を備えたフランジ付きＴ型部分である。このような蓋は取り外し可能であるか、その設計にアクセスポータルを含めることができる。アセンブリの個別の構成部品は通常、互いに溶接される。
【０００４】
特定の構成に関係なく、スクリーン取水口は通常、特定の大きさの水性デブリが入口管に進入するのを防ぐように構成されている。同時に、スクリーン取水口は、取水口のスクリーン表面の長さに沿ってデブリをろ過する一方で、水生生物を保護するように設計する必要がある。このためには、スクリーンを通過する流速を最大ピールレベル（ｍａｘｉｍｕｍ  ｐｅａｌ  ｌｅｖｅｌ）未満に維持する必要があり、最大ピールレベルは、約０．５ｆ／ｓ、または地域の要件や仕様で定義されているその他の制限であってもよい。流れの抵抗を減らし、スクリーン表面での流速を制御する１つの方法は、スクリーン取水口内で流れ調整器（ｆｌｏｗ  ｍｏｄｉｆｉｅｒ）を使用することである。例えば、ジョンソンスクリーンズ（登録商標）製品のスクリーン取水口は、（特許文献１）および（特許文献２）に開示されているように、流れ調整器を使用してろ過スクリーン全体の流れの均一性を高める。これらの文献に開示された内容は、参照によりその全体が本明細書に組み込まれる。
【先行技術文献】
【特許文献】
【０００５】
【特許文献１】米国特許第６０５１１３１号明細書
【特許文献２】米国特許出願公開第２０１２／０２９８５７２号明細書
【発明の概要】
【発明が解決しようとする課題】
【０００６】
流動性能に最適化された設計に加えて、スクリーン取水口の設計では、たとえば、結氷などの環境条件や、スクリーン取水口が水没した収集場所にある場合の潜在的な衝撃荷重などの外力も考慮する必要がある。したがって、従来のスクリーン取水口の設計を改良して、スクリーン取水口内およびスクリーン取水口全体の流動性能を高めるだけでなく、外圧および衝撃荷重に十分抵抗できるようにスクリーン取水口の構造強度を高めることは有利である。
【課題を解決するための手段】
【０００７】
本明細書に開示される実施形態は、個々のスクリーン部分および内部流れ調整器を取り付けるための中央マニホルドを有するスクリーン取水口アセンブリを含む。いくつかの実施形態では、中央マニホルドは、取水口アセンブリの全長がスクリーン取水口アセンブリの流体取入れ能力を高めるための外部スクリーンを含むように、中央スクリーン部分を含むことができる。スクリーン取水口アセンブリは、スクリーン取水口アセンブリの流体取入れ容量を選択的に調整できるように、中央マニホルドに選択的に取り付けられた個々のスクリーン部分を含むことができる。いくつかの実施形態では、スクリーン部分および中央マニホルドは、例えば、使用場所での組み立てを容易にするために、外部フランジ壁などの外部接続を利用して隣接して組み立てることができる。いくつかの実施形態では、内部流れ調整器は、中央マニホルドに動作可能に結合されて、スクリーン取水口アセンブリ内の流体の流れ特性に選択的に影響を与えることができる。内部流れ調整器は、個々の流れ調整器部分から構成することができ、これにより、内部流れ調整器を拡張して、中央マニホルドに取り付けられたスクリーン部分の数に適応することができる。
【０００８】
一般に、本発明の実施形態は、中央マニホルドスクリーン部分、個々のスクリーン部分、中央流れ調整器および個々の流れ調整器部分を利用して、例えば、流量能力、圧力損失、スクリーン使用率、およびスクリーン取水口アセンブリ内の乱流状態の回避を含む、流体取入れ特性を調整することができる、調整可能または拡張可能なスクリーン取水口アセンブリを含むことができる。さらに、本発明のスクリーン取水口アセンブリは、粒子および生物付着を除去するのに役立つ一体型洗浄アセンブリを含むことができる。
【０００９】
上記の要約は、本明細書の主題の例示された各実施形態またはすべての実施形態を説明することを意図するものではない。
以下の図面および詳細な説明は、様々な実施形態をより具体的に例示している。
【００１０】
本明細書の主題は、添付の図面に関連する様々な実施形態の以下の詳細な説明を考慮して、より完全に理解され得る。
【図面の簡単な説明】
【００１１】
【図１】従来技術のスクリーン取水口アセンブリの部分的に隠された断面図である。
【図２Ａ】本発明の実施形態によるスクリーン取水口アセンブリの斜視図である。
【図２Ｂ】図２Ａのスクリーン取水口アセンブリの正面図である。
【図２Ｃ】図２Ａのスクリーン取水口アセンブリの上面図である。
【図２Ｄ】図２Ａのスクリーン取水口アセンブリの端面図である。
【図２Ｅ】図２Ｃの詳細Ａの部分における図２Ａのスクリーン取水口アセンブリの部分的に隠された断面図であり、本発明の代表的な実施形態による内部支持構造を示す。
【図３】本発明の実施形態によるスクリーン取水口アセンブリの斜視図である。
【図４Ａ】本発明の実施形態によるスクリーン取水口アセンブリの斜視図である。
【図４Ｂ】図４Ａのスクリーン取水口アセンブリの端面図である。
【図５Ａ】本発明の実施形態によるスクリーン取水口アセンブリに使用する内部流れ調整器の斜視図である。
【図５Ｂ】図５Ａの内部流れ調整器の上面図である。
【図５Ｃ】図５Ａの内部流れ調整器の正面図である。
【図５Ｄ】図５Ａの内部流れ調整器の底面図である。
【図５Ｅ】図５Ａの内部流れ調整器の端面図である。
【図５Ｆ】図５Ａの内部流れ調整器の底面の斜視図である。
【図６Ａ】本発明の実施形態によるスクリーン取水口アセンブリに使用する内部流れ調整器の斜視図である。
【図６Ｂ】図６Ａの内部流れ調整器の端面図である。
【図６Ｃ】図６Ａの内部流れ調整器の上面図である。
【図６Ｄ】図６Ａの内部流れ調整器の正面図である。
【図７Ａ】本発明の実施形態によるスクリーン取水口アセンブリに使用する内部流れ調整器の斜視図である。
【図７Ｂ】図７Ａの内部流れ調整器の端面図である。
【図７Ｃ】図７Ａの内部流れ調整器の上面図である。
【図７Ｄ】図７Ａの内部流れ調整器の正面図である。
【図８Ａ】本発明の実施形態によるスクリーン取水口アセンブリに使用する内部流れ調整器の斜視図である。
【図８Ｂ】図８Ａの内部流れ調整器の端面図である。
【図８Ｃ】図８Ａの内部流れ調整器の上面図である。
【図８Ｄ】図８Ａの内部流れ調整器の正面図である。
【図９Ａ】本発明の実施形態によるスクリーン取水口アセンブリに使用する内部流れ調整器の斜視図である。
【図９Ｂ】図９Ａの内部流れ調整器の端面図である。
【図９Ｃ】図９Ａの内部流れ調整器の正面図である。
【図９Ｄ】図９Ａの内部流れ調整器の底面図である。
【図１０Ａ】本発明の実施形態による拡張可能なスクリーン取水口アセンブリの斜視図である。
【図１０Ｂ】図１０Ａの線Ｂ−Ｂにおける図１０Ａの拡張可能なスクリーン取水口アセンブリの部分的に隠された側断面図である。
【図１１Ａ】本発明の代表的な実施形態によるスクリーン取水口アセンブリの部分的に隠された斜視図である。
【図１１Ｂ】図１１Ａのスクリーン取水口アセンブリの部分的に隠された斜視図である。
【図１１Ｃ】図１１Ａのスクリーン取水口アセンブリの部分的に隠された端面図である。
【図１１Ｄ】図１１Ａのスクリーン取水口アセンブリの部分的に隠された側面図である。
【図１２Ａ】本発明の実施形態によるスクリーンろ過器の断面図である。
【図１２Ｂ】本発明の実施形態によるスクリーンろ過器の断面図である。
【図１３Ａ】本発明の実施形態によるスクリーン取水口アセンブリの側面図である。
【図１３Ｂ】本発明の実施形態によるスクリーン取水口アセンブリの側面図である。
【図１３Ｃ】本発明の実施形態によるスクリーン取水口アセンブリの部分的に隠された斜視図である。
【図１３Ｄ】図１３Ｃのスクリーン取水口アセンブリに使用されるフロースルー発振器の詳細を示す斜視図である。
【図１４Ａ】従来技術によるスクリーン取水口アセンブリに使用するエアバーストシステムの端面図である。
【図１４Ｂ】本発明の実施形態によるスクリーン取水口アセンブリに使用するエアバーストシステムの端面図である。
【図１４Ｃ】本発明の実施形態によるスクリーン取水口アセンブリに使用するエアバーストシステムの端面図である。
【図１４Ｄ】本発明の実施形態によるスクリーン取水口アセンブリに使用するエアバーストシステムの側面図である。
【図１５Ａ】本発明の実施形態によるスクリーン取水口アセンブリに使用する一体型洗浄システムの部分的に隠された斜視図である。
【図１５Ｂ】本発明の実施形態によるスクリーン取水口アセンブリに使用する一体型洗浄システムの部分的に隠された斜視図である。
【発明を実施するための形態】
【００１２】
様々な実施形態は、様々な変形例および代替の形態に適応できるが、それらの詳細は、例として図面に示され、詳細に説明される。しかしながら、その意図は、特許請求の範囲に記載された発明を記載された特定の実施形態に限定するものではない。逆に、その意図は、特許請求の範囲によって定義される主題の精神および範囲内にあるすべての変更物、同等物、および代替物を網羅することである。
【００１３】
図１は、従来技術の取水口スクリーンアセンブリ１００を示している。取水口スクリーンアセンブリ１００は、一般に、中央のフランジ付きＴ型部分１０の形態で示される取入れ部材または他の本体、端板２０ａ、２０ｂとして示される１つまたは複数の閉鎖部材、中央マニホルド１０２、下部１０４、１つまたは複数のスクリーン部分１０６ａ、１０６ｂ、および１つまたは複数のマニホルド壁１０８ａ、１０８ｂを含むことができる。実施形態では、スクリーン取水口アセンブリ１００のおおよその中心が軸線Ａに沿って示されている。中心マニホルド１０２は、軸線Ａからマニホルド壁１０８ａ、１０８ｂまで実質的かつ継続的に延在し、ステンレス鋼または銅ニッケル製の管または筒等の、流体の取入または流入をさせない材料から構成される。各スクリーン部分１０６ａ、１０６ｂは、それぞれのマニホルド壁１０８ａ、１０８ｂとそれぞれの端板２０ａ、２０ｂとの間で画定される対応するスクリーン長さ１１０ａ、１１０ｂを有する。各スクリーン部分１０６ａ、１０６ｂは、スクリーン取水口アセンブリ１００の全長の約３分の１を有することができる。スクリーン取水口アセンブリ１００はまた、流れ調整器を含むことができ、その様々な実施形態が本明細書に開示されている。
【００１４】
図２Ａ〜２Ｅに示すように、本発明のスクリーン取水口アセンブリ２００は、スクリーン取水口アセンブリ１００の全体的な形状に実質的に類似させることができるが、中央マニホルド１０２は、利用可能なろ過領域、ろ過面積、ろ過能力、流れの均一性と効率性を高めるためにスクリーン要素を含む中央部分２０２に置き換えられている。スクリーン取水口アセンブリ２００は、中央のフランジ付きＴ型部分２１４の形態で示される取入れ部材または他の本体、端板２０６ａ、２０６ｂとして示される１対の閉鎖部材、中央部分２０２、下部２０４、スクリーン部分２０６ａ、２０６ｂ、および１つまたは複数のマニホルド壁２０８ａ、２０８ｂを含む。実施形態では、マニホルド壁２０８ａ、２０８ｂは、軸線Ａに沿って示されるスクリーン取水口アセンブリ２００のおおよその中心に配置される。各スクリーン部分２０６ａ、２０６ｂは、対応するマニホルド壁２０８ａ、２０８ｂ間で画定されるスクリーン長さ２１０ａ、２０１ｂ、または単一のマニホルド壁を使用する場合にはマニホルド側部と、対応する端板部材２１２ａ、２１２ｂを有する。スクリーン部分２０６ａ、２０６ｂは、軸線Ａから端閉鎖部材２１２ａ、２１２ｂまで継続的かつ実質的に延びる。各スクリーン部分２０６ａ、２０６ｂは、スクリーン取水口アセンブリ２００の全長の約半分を有することができる。
【００１５】
図２Ｃおよび２Ｅを参照すると、各スクリーン部分２０６ａ、２０６ｂは、下方の支持構造２２０を含むことができる。スクリーン取水口アセンブリ２００の下方の支持構造２２０は、それぞれ軸線Ａに対して横方向に配置された複数の離間した水平支持バー２２２を含むことができる。各スクリーン部分２０６ａ、２０６ｂ、および支持バー２２２を含む対応する下方の支持構造２２０は、米国特許第６６６３７７４号明細書、同第７４２５２６４号明細書および同第９３９９８５８号明細書に開示された実施形態と同じ原理に基づいて組み立てることができ、これらの文献はすべて、参照によりその全体が本明細書に組み込まれる。
【００１６】
図３に示すように、スクリーン取水口アセンブリ３００は、１つまたは複数のマニホルド壁２０８ａ、２０８ｂに変更を加えたスクリーン取水口アセンブリ２００の変形例を含むことができる。軸線Ａに近接して配置されたマニホルド壁２０８ａ、２０８ｂの代わりに、マニホルド壁３０８ａ、３０８ｂは、中央部分３０２がそれ自体のスクリーン部分３０６ｃを画成するように軸線Ａから離間していてもよい。そのため、各スクリーン部分３０６ａ、３０６ｂは、対応するマニホルド壁３０８ａ、３０８ｂと対応する端板部材３１２ａ、３１２ｂとの間で画定されるスクリーン長さ３１０ａ、３１０ｂを有することも可能である。スクリーン部分３０６ｃは、マニホルド壁３０８ａ、３０８ｂ間で画定されるスクリーン長さ３１０ｃを有する。スクリーン部分３０６ａ、３０６ｂ、３０６ｃは協働して、端板部材３１２ａ、３１２ｂ間に実質的に連続的なろ過面を画定する。図示するように、各スクリーン部分３０６ａ、３０６ｂは、スクリーン取水口アセンブリ３００の全長の約３分の１を有することができる。他の実施形態では、スクリーン部分３０６ａ、３０６ｂは、スクリーン部分３０６ｃのスクリーン長さ３１０ｃとは異なる同じスクリーン長さ３１０ａ、３１０ｂを有することができる。
【００１７】
スクリーン取水口アセンブリ２００、３００のさらなる変形例が、スクリーン取水口アセンブリ４００として図４Ａおよび４Ｂに示されている。スクリーン部分４０６ａ、４０６ｂのそれぞれは、外部フランジ壁４０８を含むように製造することができ、一方、スクリーン部分４０６ｃは、一対の対向する外部フランジ壁４０８を含むことができる。スクリーン部分４０６ｃは、軸線Ａに対して横方向に配置され、対向する外部フランジ壁４０８の間に延びる１つまたは複数の外部支持リブ４１４をさらに含むことができる。図示されていないが、スクリーン部分４０６ａ、４０６ｂはまた、一対の対向する外部フランジ壁４０８を含むことができ、その外部フランジ壁４０８にそれぞれ端栓４１２ａ、４１２ｂを結合させる。さらに、スクリーン部分４０６ａ、４０６ｂはまた、１つまたは複数の外部支持リブ４１４を含むことができる。外部フランジ壁４０８を使用することにより、スクリーン取水口アセンブリ４００の現場での組み立てまたは拡張を迅速かつ容易に達成することができる。外部フランジ壁４０８はまた、枝木および丸太などの大きな物体がスクリーン部分４０６ａ、４０６ｂ、４０６ｃと直接接触するのを防ぐのに役立つように、スクリーン部分４０６ａ、４０６ｂ、４０６ｃに衝撃保護を提供することができる。外部フランジ壁４０８は、スクリーンアセンブリ４００の完全性に実質的に影響を与えることなく、フランジおよびスクリーン部分４０６ａ、４０６ｂ、４０６ｃの確実な閉鎖を提供するボルトや他の任意の材料または方法によって固定することができる。
【００１８】
スクリーン取水口アセンブリ２００、３００、４００を参照すると、スクリーン取水口アセンブリはそれぞれ、図２Ａ、３および４Ａに示すように、下部２０４、３０４、４０４を備えることができる。図示のように、これらの下部２０４、３０４、４０４は、対応するスクリーン部分でろ過されることなく、流体が下部に浸透してスクリーン取水口アセンブリ２００、３００、４００に進入するのを防ぐように、ステンレス鋼または銅ニッケル製の筒材／管材などの固体材料を含むことができる。代替の実施形態では、下部２０４、３０４、４０４は、前述のものと同様のそれら自身のスクリーン部分を組み込むことができる。さらに他の実施形態では、下部２０４、３０４、４０４は、流体の取入れを可能にするスロットまたは開口などの穿孔を有する材料から製造することができる。すべての実施形態において、下部２０４、３０４、４０４のために選択された材料は、構造的支持が損なわれないように、スクリーン取水口アセンブリ２００、３００、４００に必要な支持を提供する。
【００１９】
上記のスクリーン取水口アセンブリ２００、３００、４００に関して説明した外的特徴に加えて、本発明の代表的な実施形態は、流動性能を調整し、構造強度を高めるために様々な内部構造を組み込むことができる。図５Ａ〜５Ｆに示すように、内部流れ調整器５００は、スクリーン取水口アセンブリ、例えば、スクリーン取水口アセンブリ１００、２００、３００、４００のいずれかに含まれ得る。一般に、内部流れ調整器５００は、穴あき流れ調整パイプ５０２、内部流れ調整パイプ５０４、１つまたは複数の半径方向支持部材５０８、および内部流れ調整パイプ５０４に流体結合された下部５１０を含むことができる。穴あき流れ調整パイプ５０２は、流体が内部流れ調整パイプ５０４に進入できるように、複数の離間したスロット５１４を有する中実パイプまたは筒状材料を含むことができる。スロット５１４の大きさ、形状、および間隔は、穴あき流れ調整パイプ５０２の長さに沿って均一な流れの取入れを可能にし、それによって圧力降下を低減し、乱流を回避するのを助ける。下部５１０は、穴あき流れ調整パイプ５０２と実質的に等しいかそれより大きい断面を有することができる。下部５１０は、構造的支持を提供するだけでなく、様々なスクリーン部分から入り込む流れをさらに分割する分割プレート５１２を備えることができる。
【００２０】
図６Ａ〜６Ｄおよび図７Ａ〜７Ｄは、それぞれ、内部流れ調整器６００、７００の他の代替の実施形態を示している。内部流れ調整器６００、７００は、穴あき流れ調整パイプ６０２、７０２、内部流れ調整パイプ６０６、７０６、１つまたは複数の半径方向支持部材６０８、７０８、下部６１０、７１０、および取入れ部分（図示せず）を含む。実施形態において、穴あき流れ調整パイプ６０２、７０２は、流れの取入れを可能にする離間したスロット６１４、７１４を有する中実材を含む。代表的な実施形態において、下部６１０、７１０は、穴あき流れ調整パイプ６０２、７０２と実質的に等しい断面を有することができる。実施形態において、穴あき流れ調整パイプ６０２、７０２および下部６１０、７１０の断面は、様々な流体取水口アセンブリを収容するように大きさが設定されていてもよい。
【００２１】
図８Ａ〜８Ｄは、内部流れ調整器８００の他の代替の実施形態を示している。内部流れ調整器８００は、穴あき流れ調整パイプ８０２、内部流れ調整パイプ８０６、１つまたは複数の半径方向支持部材８０８、下部８１０、および取入れ部分（図示せず）を含むことができる。実施形態において、穴あき流れ調整パイプ８０２は、穴あき流れ調整パイプ８０２の長さに沿って均一な流体の取入れを可能にするように、離間した開口８１４を有する中実材含むことができ、それによって圧力降下を低減し、乱流を回避するのを助ける。実施形態において、穴あき流れ調整パイプ８０２および下部８１０の断面は、様々な流体取水口アセンブリを収容するように大きさが設定されていてもよい。
【００２２】
図９Ａ〜９Ｄに示すように、内部流れ調整器９００の実施形態は、周方向支持部材９２０と周方向端部９２２ａ、９２２ｂとを含むことができる。実施形態によれば、周方向支持部材９２０は、穴あき内部流れ調整器９０２に結合され、周方向端部９２２は、スクリーン部分（図示せず）に結合されてもよい。周方向支持部材９２０および周方向端部９２２の両方は、外部スクリーン部分への支持を提供する。周方向支持部材９２０のそれぞれは、スクリーン取水口アセンブリ内の流体の流れを緩和するのを助けるために、様々な流れ開口９２０ａ、９２０ｂを含むことができる。特定の実施形態では、隣接する周方向支持部材９２０間の流れ開口９２０ａは、同じ半径方向軸線に沿って配置することができ、他の実施形態では、流れ開口９２０ａは、流れ開口９２０ｂと同じ半径方向軸線に沿って、または隣接する周方向支持部材９２０上に配置することができる。他の代表的な実施形態では、隣接する周方向支持部材９２０は、流れ開口９２０ａ、９２０ｂのいずれも同じ半径方向軸線に整列しないように、配置することができる。
【００２３】
図１０に示すような代替の実施形態によれば、流体取水口アセンブリ１０００は、スクリーン部分１００２および内部流れ調整器１００４を選択的に追加して所望の液体取入れ速度に適応できるように、拡張するように設計することができる。一般に、流体取水口アセンブリは、マニホルドスクリーン部分１００８をその周りに取り付けることができる中心マニホルド１００６を備えることができる。マニホルドスクリーン部分１００８を挟んで、複数の個別のスクリーン部分１００２ａ、１００２ｂ、１００２ｃ、１００２ｄを動作可能に一緒に結合することができる。マニホルドスクリーン部分１００８は、マニホルドスクリーン部分長さ１００８ａを有することができ、一方、個々のスクリーン部分１００２ａ、１００２ｂ、１００２ｃ、１００２ｄは、対応するスクリーン部分長さ１０１０ａ、１０１０ｂ、１０１０ｃ、１０１０ｄを有し、その結果、取水口アセンブリのスクリーン長さ１０００ａは、マニホルドスクリーン部分の長さ１００８ａおよびスクリーン部分の長さ１０１０ａ、１０１０ｂ、１０１０ｃ、１０１０ｄが協働して画定する。図示するように、マニホルドスクリーン部分１００８および個別のスクリーン部分１００２ａ、１００２ｂ、１００２ｃ、１００２ｄは、マニホルド壁１０１２または区画壁１０１４を用いて動作可能に接続することができる。図示するように、マニホルド壁１０１２および区画壁１０１４は、流体取水口アセンブリ１００の内部に配置することができるが、マニホルド壁１０１２および区画壁１０１４は、現場での組み立ておよび拡張を簡便に行うために、例えば、図４Ａおよび４Ｂに示す実施形態の外部フランジ壁４０８と同様の外部フランジ壁として外部に配置することができる。内部流れ調整器１００４は、同様に、中央マニホルド１００６内に配置された中央流れ調整器１０１６に動作可能に結合された複数の流れ調整部分１００４ａ、１００４ｂ、１００４ｃ、１００４ｂを含むことができる。個々の流れ調整部分１００４ａ、１００４ｂ、１００４ｃ、１００４ｄの長さおよび配置は、所望の性能ならびに取水口スクリーンアセンブリの長さ１０００ａに基づいて個別に調整することができる。１つの代表的な実施形態では、内部流れ調整部分１００４ａ、１００４ｂ、１００４ｃ、１００４ｄおよび中央流れ調整器１０１６は、穴あき流れ調整パイプ１０１８および内部流れ調整パイプ１０２０を画成することができる。内部流れ調整器１００４は、マニホルド壁１０２０に結合された１つまたは複数の収束流れ調整器１０２０ａ、１０２０ｂ、および入口パイプ部分１００４をさらに含むことができる。流体取水口アセンブリ１０００の拡張可能な性質により、スクリーン部分１００２および内部流れ調整器１００４のほぼ無限の構成を現場で製造または組み立てることができる。場合によっては、既存の流体取水口アセンブリ１０００は、使用時に流体の必要性が変化するので、現場で収縮または拡張させることができる。
【００２４】
前の実施形態を参照して図示および説明したように、閉鎖部材／端板間に実質的に丸形または円形の断面積を規定するために、１つまたは複数のスクリーン部材が製造される様々な流体取水口アセンブリ設計が企図される。あるいは、設置、例えば、川のような浅瀬を有する場所では、スクリーン取水口アセンブリの全体の高さ、または幅さえも減らすために非円形の断面を有することが有利である。例えば、図１１Ａ〜１１Ｄに示すスクリーン取水口アセンブリ１１００は、非円形断面１１０４を有する高さを低くした設計１１０２を含むことができ、本明細書では、一対のスクリーン部分１１０７ａ、１１０７ｂおよび中央のＴ型部分１１０７ｃについて実質的に楕円形の断面１１０６として示す。非円形断面１１０４は、本明細書では、スクリーン部分幅１１０９ｂよりも小さいスクリーン部分高さ１１０９ａを有するスクリーン部分１１０７ａ、１１０７ｂおよび中央Ｔ型部分１１０７ｃのそれぞれによって画定される。図示していないが、スクリーン部分高さ１１０９ａがスクリーン部分の幅１１０９ｂよりも大きくなるように、非円形断面が図１１Ａ〜１１Ｄに示すものと本質的に逆である場合には、設置上の利点があり得る。さらに他の実施形態では、例えば、正方形、長方形、三角形、五角形、六角形、八角形などを含む、非円形断面１１０４の他の幾何学的構成を有することが有利である。図示のように、スクリーン部分１１０７ａ、１１０７ｂはそれぞれ、対応する外部スクリーン部材１１０８ａ、１１０８ｂを含むことができ、楕円形の断面に実質的に類似する楕円形の周囲１１１２ａ、１１１２ｂを画定する対応する閉鎖部材または端板１１１０ａ、１１１０ｂを含むことができる。中央Ｔ型部分１１０７ｃは、ろ過された流体を使用場所に送達するための中央外部スクリーン部材１１１４およびマニホルド１１１６を含むことができる。外部スクリーン部材１１０８ａ、１１０８ｂおよび中央外部スクリーン部材１１１４は、例えば、流れ容量および流速を含む所望の流れ特性だけでなく、所望のろ過特性を提供するように選択されるウェッジワイヤまたはＶｅｅ−Ｗｉｒｅ（登録商標）方式のスクリーンを含むことができる。マニホルド１１１６は、内部流れ調整器１１１８に流体的に接続することができる出口導管１１１７をさらに備えることができる。楕円形断面１１０６に適応するために、内部流れ調整器１１１８は、中央コレクタ１１２０と、スクリーン取水口アセンブリ１１００内に望ましい流れ特性を提供するように構成され、かつ、楕円形断面１１０６の非円形の性質を考慮した複数の横方向コレクタ１１２２とを含むことができる。中央コレクタ１１２０および横方向コレクタ１１２２のうちの１つまたは複数は、マニホルド１１１４への流れ特性を変化させるための穿孔またはスロット１１２４を含むことができる。同様に、ウェッジワイヤ式のスクリーンは、スクリーン部材１１０８ａ、１１０８ｂ、端板１１１０ａ、１１１０ｂ、および／または中央Ｔ型部分１１１６に沿って配置されて、所望の流れ容量および他の流れ特性を得ることができる。
【００２５】
前述のスクリーン取水口アセンブリのさまざまな構成に加えて、個々のスクリーン部分自体の構築技術を変えることが有利な場合がある。例えば、従来技術の通常のスクリーンろ過器１２００が図１２Ａを示す。一般に、Ｖ字型ワイヤ１２０２の連続スプールは、１つまたは複数の支持部材１２０４に連続的に巻きつけられ、溶接されている。一般に、ワイヤギャップ１２０５は、隣接して巻きつけられ溶接されたＶ字型ワイヤ１２０２の隣接する隅部１２０８の間に画定される。ワイヤギャップ１２０５のギャップ長１２０６は、一般に、ろ過スクリーン１２００を通過する流体からろ過または「除去」された粒子の大きさ、すなわちろ過精度に等しい。
【００２６】
本発明の開示されたスクリーン取水口アセンブリは、従来のスクリーンろ過器１２００を利用できるだけでなく、図１２Ｂに示すように、改良されたスクリーンろ過器１２５０を使用することもできる。スクリーンろ過器１２５０は、同様に１つまたは複数の支持部材１２０４を利用するが、２つの異なる大きさのＶ字型ワイヤ、第１のＶ字型ワイヤ１２５１および第２のＶ字型ワイヤ１２５２を使用する。第１のＶ字型ワイヤ１２５１は、第１のワイヤ高さ１２５１ａおよび第１のワイヤ幅１２５１ｂによって画成され、第２のＶ字型ワイヤ１２５２は、第２のワイヤ高さ１２５２ａおよび第２のワイヤ幅１２５２ｂによって画成される。図示するように、第１のワイヤ高さ１２５１ａおよび第１のワイヤ幅１２５１ｂは、第２のワイヤ高さ１２５２ａおよび第２のワイヤ幅１２５２ｂよりも大きいため、（第１のＶ字型ワイヤ１２５１の）第１の断面積１２５１ｃは、（第２のＶ字型ワイヤ１２５２の）第２の断面積１２５２ｃよりも大きい。図示するように、第１の断面積１２５１ｃは第２の断面積１２５２ｃよりも大きいため、第１のワイヤギャップ１２５４が、第１のＶ字型ワイヤ１２５１の隣接する巻きつけ間で画定され、第２のワイヤギャップ１２５６が、第２のＶ字型ワイヤ１２５２と、第２のＶ字型ワイヤ１２５２の両側にある第１のＶ字型ワイヤ１２５１との間で画定される。図示のように、第１のワイヤギャップ１２５４は、第２のワイヤギャップ１２５６の第２のギャップ長１２６０よりも実質的に大きい第１のギャップ長１２５８を有することができる。第２のワイヤギャップ１２５６は、一般に、改良されたスクリーンろ過器１２５０のろ過精度と等しくてもよく、一方、第１のワイヤギャップ１２５４は、第２のワイヤギャップ１２５６での野生生物および／またはデブリの衝突を低減する試みにおいて有効上面速度を減少させることができる初めの粗いろ過器（ｉｎｉｔｉａｌ  ｒｏｕｇｈ  ｆｉｌｔｅｒ）を画成する。例えば、第１のワイヤギャップ１２５４は、第１のワイヤギャップ１２５４を通る流体速度が、例えば、魚などの水生生物が改良されたスクリーンろ過器１２５０の外側で捕らえられることを回避できるように、約０．１５２４メートル／秒（約０．５フィート／秒）以下になるような大きさにすることができる。また、第２のＶ字型ワイヤ１２５２が従来のスクリーンろ過器１２００のＶ字型ワイヤ１２０２よりも小さい場合、改良されたスクリーンろ過器１２５０の利用可能な表面積に画定される第２のワイヤギャップ１２５６の数は、従来のスクリーンろ過器１２００の同じ表面積におけるワイヤギャップ１２０６の数よりも大きくなる。スクリーンろ過器１２５０は、第２のワイヤギャップ１２５６をより多く提供することにより、従来のスクリーンろ過器１２００よりも多くの利用可能なろ過領域を提供して、改良されたスクリーンろ過器１２５０を利用するスクリーン取水口アセンブリの全体的な容量を増加させながら、改良されたスクリーンろ過器１２５０の外面の低下した流体速度を維持する。所望の流れ特性に応じて、第１のワイヤ高さ１２５１ａ、第１のワイヤ幅１２５１ｂ、第２のワイヤ高さ１２５２ａ、および第２のワイヤ高さ１２５２ｂのうちの１つ��たは複数を調整して、第１のワイヤギャップ１２５４および第２のワイヤギャップ１２５６の一方または両方を選択的に変更して、第１のワイヤギャップ１２５４および第２のワイヤギャップ１２５６の一方または両方を通る所望の流体速度を達成する。
【００２７】
さらに別の代替の実施形態では、従来技術および本明細書に開示される新規構成の両方の様々なスクリーン取水口アセンブリは、生物付着材料および他のデブリのスクリーンろ過器への付着を制限、および／または生物付着材料および他のデブリのスクリーンろ過器からの分離のための除去システムをさらに組み込むことができる。例えば、除去システム１３００は、図１３Ａに示すように、スクリーンアセンブリに振動を継続的または選択的に誘導して、スクリーンアセンブリへの汚染物質を防ぐ、および／またはスクリーンアセンブリから汚染物質を除去する発振器アセンブリ１３０２を備えることができる。発振器アセンブリ１３０２は、超音波または低周波振動を生成することができる装置を含むことができる。一般に、スクリーン取水口アセンブリ１３０４は、１つまたは複数のスクリーン部分１３０８に動作可能に結合された中央部分１３０６を備えることができる。発振器アセンブリ１３０２は、発振器アセンブリ１３０２によって生成された振動が中央部分１３０６を通って各スクリーン部分１３０８の外部のスクリーンろ過器１３０９に伝達されるように、中央部分１３０６に動作可能に取り付けることができる。図１３Ａに示すように、発振器アセンブリ１３０２は、遠隔電源１３１０、例えば、電気グリッドまたは陸上（ｏｎｓｈｏｒｅ）／はしけ／リグに取り付けられた発電機に動作可能に接続することができる。あるいは、発振器アセンブリ１３０２は、タービンまたはプロペラ式アセンブリ１３１２を使用して電力を供給され、中央部分１３０６を通るろ過された流体の流れを、発振器アセンブリ１３０２に直接電力を供給することができる回転エネルギーに変換するか、または図１３Ｂに示すように、発振器アセンブリ１３０２と一体であるか、または発振器アセンブリ１３０２に近接して配置されているバッテリ源に貯蔵するためのエネルギーを生成することができる。
【００２８】
除去システム１３００の変形例では、スクリーン取水口アセンブリ１３５０は、図１３Ｃおよび１３Ｄに示すように、可動または動力付きアセンブリがない場合に振動を継続的に誘発するフロースルー振動システム１３５２を備えることができる。図示するように、スクリーン取水口アセンブリ１３５０は、中央Ｔ型部分１３０６に動作可能に接続された一対のスクリーン部分１３５４ａ、１３５４ｂを備えることができる。スクリーン取水口アセンブリ１３５０は、スクリーン部分１３５４ａ、１３５４ｂを通る望ましい流れ特性を提供するために、内部流れ調整システム１３５８をさらに備えることができる。内部流れ調整システム１３５８は、内部流れ調整システム１３５８とスクリーン部分１３５４ａ、１３５４ｂとの間に配置された１つまたは複数のフロースルー発振器１３６０をさらに備えることができる。図１３Ｄに最もよく示すように、各フロースルー調整器１３６０は、入口１３６４、流体チャネル１３６６、および出口１３６８を画定する実質的に管状の本体１３６２を含むことができる。出口１３６８は、流体チャネル１３６６が内部流れ調整システム１３５８の内部フロースルー部分１３７４に流体的に接続されるように、内部流れ調整システム１３５８の開口１３７２に取り付けられる接続部材１３７０を画成することができる。流体が内部流れ調整システム１３５８に流入し、内部フロースルー部分１３７４を通って流れると、流体が入口１３６４に引き込まれて流体チャネル１３６６を通るように、出口１３６８で吸引が生じる。入口１３６８および／または流体チャネル１３６６は、フロースルー発振器１３６０を通る流体の流れが抵抗パターンまたは「ホイッスル」を生成し、それが最終的に内部流れ調整システム１３５８の中央Ｔ型部分１３５６への物理的接続を介してスクリーン部分１３６４ａ、１３６４ｂに伝達される振動を引き起こすように構成することができる。この抵抗パターンまたは「ホイッスル」は、流体が内部フロースルー部分１３７４に流れ込んでいる限り、本質的に連続的である。そのため、操作に外部または蓄積されたエネルギー源は必要なく、保守が必要な可動部品や機械的アセンブリもない。したがって、フロースルー振動システム１３５２は、連続的かつ経済的な方法で、デブリまたは生物付着材料の付着および／または蓄積を制限するように動作する。
【００２９】
従来技術および本明細書に開示される新規構成の両方の様々なスクリーン取水口アセンブリは、蓄積したデブリおよび生物付着材料を除去するために内部洗浄システムをさらに組み込むことができる。図１４Ａに示すように、従来技術では、スクリーン取水口アセンブリ１４０２内の内部エアバーストシステム１４００を利用して、加圧空気１４０３のパルスをスクリーン取水口アセンブリ１４０２の内部部分１４０４に送達することがよく知られている。一般に、内部エアバーストシステム１４００は、スクリーン部分１４１０の下部１４０８に近接して配置されたエアバーストパイプ１４０６を備える。典型的には、エアバーストパイプ１４０６は、例えば、陸上、はしけ、またはリグ上に配置された圧縮機などの遠隔位置に配置された空気圧縮機と連通している。エアバーストパイプ１４０６は、スクリーン取水口アセンブリの中央部分内に配置されたエアバーストマニホルドに取り付けることができる。スクリーン取水口アセンブリが複数のスクリーン部分１４１０を含む場合、エアバーストパイプ１４０６は、各スクリーン部分１４１０内に配置することができ、各エアバーストパイプ１４０６は、エアバーストマニホルドに動作可能に接続することができる。一般に、加圧空気のパルスは、エアバーストパイプ１４０６を介して供給することができ、それにより、加圧空気のパルスは、下部１４０８に近接する水を取り除き始め、続いて膨張して、スクリーン部分１４１０全体にわたって水を充填および置換して、スクリーン部分１４１０の表面から汚染物質を取り除く。
【００３０】
本発明の改良されたエアバーストシステム１４２０では、図１４Ｂ〜１４Ｄに示すように、下部１４０８に加えて、複数のエアバーストパイプを様々な場所に配置することができる。例えば、エアバーストパイプ１４２２ａは、下部１４０８の近くに配置することができ、エアバーストパイプ１４２２ｂ、１４２２ｃは、スクリーン部分１４１０の対向する側１４２４ａ、１４２４ｂの近くに配置することができ、エアバーストパイプ１４２２ｄは、スクリーン部分の上部１４２６の近くに配置することができる。改良されたエアバーストシステム１４２０は、４つのエアバーストパイプ１４２２ａ、１４２２ｂ、１４２２ｃ、１４２２ｄを有するものとして示されているが、例えば、スクリーン取水口アセンブリの大きさおよびろ過される流体の品質を含む変数により、必要な少なくとも２本のエアバーストパイプでより少なく使用するように設計するか、４本より多いエアバーストパイプを使用するように設計することができる。エアバーストパイプ１４２２ａ、１４２２ｂ、１４２２ｃ、１４２２ｄは全て、スクリーン取水口アセンブリ１４０２の中央部分１４２８内に位置するエアバーストマニホルドに動作可能に接続することができる。スクリーン取水口アセンブリ１４０２が第１および第２のスクリーン部分１４３０ａ、１４３０ｂの両方を含む場合、スクリーン部分１４３０ａ、１４３０ｂのそれぞれは、エアバーストパイプ１４２２ａ、１４２２２ｂ、１４２２ｃ、１４２２２ｄの同じ配置を含むことができる。いくつかの実施形態では、加圧空気１４０３のパルスは、図１４Ｂに示すように、各エアバーストパイプ１４２２ａ、１４２２ｂ、１４２２ｃ、１４２２ｄを通して同時に送達され得る。一般に、加圧空気のパルスは、各エアバーストパイプ１４２２ａ、１４２２ｂ、１４２２ｃ、１４２２ｄの長さに沿って配置されたノズル１４２５ａ、スロット１４２５または同様の開口を通して送達される。これに代えて、加圧空気のパルスは、図１４Ｃに示すように、エアバーストパイプ１４２２ａ、１４２２ｂ、１４２２ｃ、１４２２ｄを通して半径方向に、順次に送達され得る。さらに別の代替構成では、加圧空気のパルスは、図１４Ｄに示すように、スクリーン取水口アセンブリ１４３８の第１の端部１４３４と第２の端部１４３６との間に画定される取入れ長１４３２に沿って順次送達され得る。図１４Ｄのスクリーン取水口アセンブリ１４３８が、中央Ｔ型部分１４４２に接続された第１および第２のスクリーン部分１４４３ａ、１４４３ｂを含み、同じ原理を適用して、単一のスクリーン部分のみを使用する取入れ長に沿って加圧空気のパルスを提供することができる。加圧空気のパルス供給の特定の配置と順序は、一般に設置に合わせて調整されるとともに、設置条件と、粒子状物質および生物付着の蓄積の種類と量とに依存する可能性がある。
【００３１】
本発明のスクリーン取水口アセンブリ１５００の別の変形例を図１５Ａおよび１５Ｂに示す。図示のように、スクリーン取水口アセンブリ１５００は、中央Ｔ型部分１５０２およびスクリーン部分１５０４を備える。単一のスクリーン部分１５０４のみを示すが、流体の流れの要件に基づいて、追加のスクリーン部分を中央Ｔ型部分１５０２に動作可能に接続することができる。スクリーン取水口アセンブリ１５００は、内部流れ調整アセンブリ１５０６および統合されたセルフ洗浄システム１５０８を含む。一般に、内部流れ調整アセンブリ１５０６は、中央Ｔ型部分１５０２およびスクリーン部分１５０４の一方または両方のスクリーンろ過器１５１０を通る望ましい流れ状態を促進するように構成される。図１５Ａに示すように、統合セルフ洗浄システム１５０８は、中央Ｔ型部分１５０２内に配置された流れ調整導管１５１２に動作可能に接続された取入れスクープ１５１１を備えることができる。１つまたは複数の洗浄入口パイプ１５１４は、取入れスクープ１５１１と中央Ｔ型部分１５０２との間を流れる流体の一部が洗浄入口パイプ１５１４に向けられるように、取入れスクープ１５１１と流体的に接続させることができる。洗浄入口パイプ１５１４は、中央Ｔ型部分１５０２およびスクリーン部分１５０４の一方または両方によって画定される長さに沿って軸線方向および半径方向に配置された１つまたは複数の洗浄パイプ１５１６と流体的に接続している。図示するように、１つまたは複数の洗浄パイプ１５１６は、スクリーン取水口アセンブリ１５００内に、かつ、スクリーンろ過器１５１０の内面に近接して配置することができる。これに代えて、１つまたは複数の洗浄パイプ１５１６は、スクリーン取水口アセンブリ１５００の外側に、かつ、スクリーンろ過器１５１０の外面に近接して配置することができる。各洗浄パイプ１５１６は、一般に、複数の離間した開口１５１８、スロットまたはミシン目を含む。場合によっては、ノズル１５２０は、図１５Ａに示すように、各開口１５１８内に動作可能に取り付けることができる。流体の流れは、洗浄入口パイプ１５１４を通って洗浄パイプ１５１６に入り、開口１５１８／ノズル１５２０から出るように向けられる。開口１５１８／ノズル１５２０から出た流体の流れは、スクリーンろ過器１５１０に対して、またはスクリーンろ過器１５１０に沿って向けられて、汚染物質の付着を防止および／または抑制することができる。さらに、統合セルフ洗浄システム１５０８は、外部電源および継続的な保守を必要とする可能性のある可動部品を必要としない受動システムである。図１５Ｂに示す統合セルフ洗浄システム１５０８においては、取入れスクープ１５１１は、中央Ｔ型部分１５０２とは異なり、スクリーン部分１５０４の内側の位置で、内部流れ調整アアセンブリ１５０６内に配置することができる。
【００３２】
システム、装置および方法の様々な実施形態を本明細書に記載してきた。これらの実施形態は、例としてのみ記載しており、特許請求の範囲に記載の発明を限定することを意図するものではない。さらに、記載した実施形態の様々な特徴を様々な方法で組み合わせて、多数の追加の実施形態を生成することができる。またさらに、開示された実施形態で使用するために様々な材料、寸法、形状、構成および位置などを記載しているが、開示されたもの以外の他のものは、特許請求の範囲に記載の発明を超えることなく利用できる。
【００３３】
関連技術の当業者は、本明細書の主題が、上記の個々の実施形態に示すよりも少ない特徴を含んでも良いことを認識するであろう。本明細書に記載の実施形態は、本明細書の主題の様々な特徴を組み合わせることができる方法の網羅的な提示を意味するものではない。したがって、実施形態は、特徴の相互に排他的な組み合わせではない。むしろ、様々な実施形態は、当業者によって理解されるように、異なる個々の実施形態から選択される異なる個々の特徴の組み合わせを含むことができる。さらに、一実施形態に関して記載した要素は、特に断りのない限り、そのような実施形態に記載されていない場合でも、他の実施形態で実施することができる。
【００３４】
従属請求項は、請求項において１つまたは複数の他の請求項との特定の組み合わせを参照することができるが、他の実施形態はまた、従属請求項と他の従属請求項の主題との組み合わせ、あるいは１つまたは複数の特徴と他の従属請求項または独立請求項との組み合わせを含むことができる。そのような組み合わせは、特定の組み合わせを意図していないことを述べていない限り、本明細書で提案される。
【００３５】
上記の文書の参照による組み込みは、本明細書の明示的な開示に反する主題が組み込まれないように制限される。上記の文書の参照による組み込みは、文書に含まれる請求項が参照により本明細書に組み込まれないようにさらに制限される。上記の文書の参照による組み込みはさらに、本明細書に明示されていない限り、文書において提供された定義が参照により本明細書に組み込まれないように制限される。
【図１】
2021521361.tif 000003
【図２Ａ】
2021521361.tif 000004
【図２Ｂ】
2021521361.tif 000005
【図２Ｃ】
2021521361.tif 000006
【図２Ｄ】
2021521361.tif 000007
【図２Ｅ】
2021521361.tif 000008
【図３】
2021521361.tif 000009
【図４Ａ】
2021521361.tif 000010
【図４Ｂ】
2021521361.tif 000011
【図５Ａ】
2021521361.tif 000012
【図５Ｂ】
2021521361.tif 000013
【図５Ｃ】
2021521361.tif 000014
【図５Ｄ】
2021521361.tif 000015
【図５Ｅ】
2021521361.tif 000016
【図５Ｆ】
2021521361.tif 000017
【図６Ａ】
2021521361.tif 000018
【図６Ｂ】
2021521361.tif 000019
【図６Ｃ】
2021521361.tif 000020
【図６Ｄ】
2021521361.tif 000021
【図７Ａ】
2021521361.tif 000022
【図７Ｂ】
2021521361.tif 000023
【図７Ｃ】
2021521361.tif 000024
【図７Ｄ】
2021521361.tif 000025
【図８Ａ】
2021521361.tif 000026
【図８Ｂ】
2021521361.tif 000027
【図８Ｃ】
2021521361.tif 000028
【図８Ｄ】
2021521361.tif 000029
【図９Ａ】
2021521361.tif 000030
【図９Ｂ】
2021521361.tif 000031
【図９Ｃ】
2021521361.tif 000032
【図９Ｄ】
2021521361.tif 000033
【図１０Ａ】
2021521361.tif 000034
【図１０Ｂ】
2021521361.tif 000035
【図１１Ａ】
2021521361.tif 000036
【図１１Ｂ】
2021521361.tif 000037
【図１１Ｃ】
2021521361.tif 000038
【図１１Ｄ】
2021521361.tif 000039
【図１２Ａ】
2021521361.tif 000040
【図１２Ｂ】
2021521361.tif 000041
【図１３Ａ】
2021521361.tif 000042
【図１３Ｂ】
2021521361.tif 000043
【図１３Ｃ】
2021521361.tif 000044
【図１３Ｄ】
2021521361.tif 000045
【図１４Ａ−１４Ｄ】
2021521361.tif 000046
【図１５Ａ】
2021521361.tif 000047
【図１５Ｂ】
2021521361.tif 000048
【国際調査報告】
2021521361.tif 000049